(57)【要約】【課題】本発明は、検品対象の検品箇所と検品項目の対応が把握され、検品結果の誤入力を抑制する検品支援装置、検品支援システム及びプログラムの提供を目的とする。【解決手段】検品対象を連続撮影する撮影手段と、前記検品対象の検品箇所に追従するように検品項目を前記検品対象に重ねて連続表示する表示手段と、前記検品項目に対する複数種類の操作によって、前記検品箇所の検品結果を入力する入力手段と、を備えることを特徴とする検品支援装置を提供する。【選択図】図２
2015090514.tif 000002
【特許請求の範囲】
【請求項１】
検品対象を連続撮影する撮影手段と、
前記検品対象の検品箇所に追従するように検品項目を前記検品対象に重ねて連続表示する表示手段と、
前記検品項目に対する複数種類の操作によって、前記検品箇所の検品結果を入力する入力手段と、
を備えることを特徴とする検品支援装置。
【請求項２】
前記入力手段は、
タッチセンサであり、
前記検品項目に対する複数種類のタッチ操作によって、前記検品箇所の検品結果を入力する
ことを特徴とする請求項１に記載の検品支援装置。
【請求項３】
前記検品支援装置は、
前記検品対象に付された識別情報を読み取る読取手段と、
前記識別情報に応じて、前記検品項目を変更する変更手段と、をさらに備える
ことを特徴とする請求項２に記載の検品支援装置。
【請求項４】
前記検品支援装置は、
検品作業者より当該検品作業者の登録情報の入力を受け付ける受付手段をさらに備え、
前記変更手段は、
前記登録情報に応じて、前記検品項目を変更する
ことを特徴とする請求項３に記載の検品支援装置。
【請求項５】
検品支援装置と検品情報管理装置を含む検品支援システムであって、
前記検品支援装置は、
検品対象を連続撮影する撮影手段と、
前記検品対象の検品箇所に追従するように検品項目を前記検品対象に重ねて連続表示する表示手段と、
前記検品項目に対する複数種類の操作によって、前記検品箇所の検品結果を入力する入力手段と、
前記検品結果を前記検品情報管理装置に送信する第１の通信手段と、を備え、
前記検品情報管理装置は、
前記検品結果を前記検品支援装置から受信する第２の通信手段と、
前記検品結果を記憶する記憶手段と、を備える
ことを特徴とする検品支援システム。
【請求項６】
前記入力手段は、
タッチセンサであり、
前記検品項目に対する複数種類のタッチ操作によって、前記検品箇所の検品結果を入力する
ことを特徴とする請求項５に記載の検品支援システム。
【請求項７】
前記検品支援装置は、
前記検品対象に付された識別情報を読み取る読取手段と、
前記識別情報に応じて、前記検品項目を変更する変更手段と、をさらに備える
ことを特徴とする請求項６に記載の検品支援システム。
【請求項８】
前記検品支援装置は、
検品作業者より当該検品作業者の登録情報の入力を受け付ける受付手段をさらに備え、
前記変更手段は、
前記登録情報に応じて、前記検品項目を変更する
ことを特徴とする請求項７に記載の検品支援システム。
【請求項９】
前記検品支援装置は、
前記識別情報及び前記登録情報のいずれか一方又は両方を前記検品情報管理装置に送信し、
前記検品情報管理装置は、
前記識別情報及び前記登録情報のいずれか一方又は両方に応じて、前記検品項目を決定する決定手段をさらに備え、
決定した前記検品項目を前記検品支援装置に送信する
ことを特徴とする請求項８に記載の検品支援システム。
【請求項１０】
前記記憶手段は、
前記検品対象の製造履歴をさらに記憶し、
前記決定手段は、
記憶された前記検品結果及び前記製造履歴のいずれか一方又は両方に応じて、複数の検品箇所を検品する場合における検品項目の操作順序を決定し、
前記検品情報管理装置は、
決定した前記操作順序を前記検品支援装置に送信する
ことを特徴とする請求項９に記載の検品支援システム。
【請求項１１】
前記検品支援装置は、
内部電源によって動作し、
前記第１の通信手段及び前記第２の通信手段は、
無線通信を行う
ことを特徴とする請求項１０に記載の検品支援システム。
【請求項１２】
コンピュータを、
検品対象を連続撮影する撮影手段、
前記検品対象の検品箇所に追従するように検品項目を前記検品対象に重ねて連続表示する表示手段、
前記検品項目に対する複数種類の操作によって、前記検品箇所の検品結果を入力する入力手段、
として機能させることを特徴とするプログラム。
【発明の詳細な説明】
【技術分野】
【０００１】
本発明は、検品支援装置、検品支援システム及びプログラムに関する。
【背景技術】
【０００２】
従来、紙等に印刷された文書等の検品対象を人の目視によって検品する場合、検品作業者の用いるコンピュータ等の検品支援装置と当該検品支援装置を統括するコンピュータ等の検品情報管理装置を含む検品支援システムが導入されることがある。
【０００３】
下記特許文献１には、所要の情報を書換え可能に表示するための生産管理票としてのデジタルペーパーと、情報処理装置と、デジタルペーパーと情報処理装置との間の通信を行うための通信手段とを備える生産管理システムが記載されている。
【０００４】
また、特許文献２には、証券印刷物の目視による検査方法であって、音声情報を利用した検査方法が記載されている。
【０００５】
また、特許文献３には、入力された画像データから予め設定された複数の領域範囲の画像データのみを抽出し、入力された画像データを解像度の粗い画像データに変換し、抽出された画像データと変換された画像データを合成し、表示する、印刷物の目視検査補助装置が記載されている。
【０００６】
さらに、特許文献４には、消火器に貼付されたラベル印刷物上に、正規のラベルの内容が印刷された透光性シートを重畳して配置し、同一性を判定する印刷物検査方法が記載されている。
【先行技術文献】
【特許文献】
【０００７】
【特許文献１】特開２００２−０７３１３８号公報
【特許文献２】特開２００３−１２３１１８号公報
【特許文献３】特開平０９−０８１７３５号公報
【特許文献４】特開２０１１−１１２８８３号公報
【発明の概要】
【発明が解決しようとする課題】
【０００８】
しかし、検品作業の内容を説明する検品項目が、検品対象中のどの検品箇所の検品作業を説明するものか必ずしも明らかでない場合がある。
【０００９】
そのため、ある検品項目について、対応する検品箇所の検品結果を入力したつもりが、異なる検品箇所の検品結果を入力することとなり、検品作業が正しく行われない場合があるという問題があった。
【００１０】
そこで、本発明は、検品対象の検品箇所と検品項目の対応が把握され、検品結果の誤入力を抑制する検品支援装置、検品支援システム及びプログラムの提供を目的とする。
【課題を解決するための手段】
【００１１】
上記課題を解決するために、請求項１に記載の検品支援装置は、検品対象を連続撮影する撮影手段と、前記検品対象の検品箇所に追従するように検品項目を前記検品対象に重ねて連続表示する表示手段と、前記検品項目に対する複数種類の操作によって、前記検品箇所の検品結果を入力する入力手段と、を備えることを特徴とする。
【００１２】
また、請求項２に記載の発明は、前記入力手段は、タッチセンサであり、前記検品項目に対する複数種類のタッチ操作によって、前記検品箇所の検品結果を入力することを特徴とする請求項１に記載の検品支援装置である。
【００１３】
また、請求項３に記載の発明は、前記検品支援装置は、前記検品対象に付された識別情報を読み取る読取手段と、前記識別情報に応じて、前記検品項目を変更する変更手段と、をさらに備えることを特徴とする請求項２に記載の検品支援装置である。
【００１４】
また、請求項４に記載の発明は、前記検品支援装置は、検品作業者より当該検品作業者の登録情報の入力を受け付ける受付手段をさらに備え、前記変更手段は、前記登録情報に応じて、前記検品項目を変更することを特徴とする請求項３に記載の検品支援装置である。
【００１５】
また、請求項５に記載の検品支援装置と検品情報管理装置を含む検品支援システムは、前記検品支援装置は、検品対象を連続撮影する撮影手段と、前記検品対象の検品箇所に追従するように検品項目を前記検品対象に重ねて連続表示する表示手段と、前記検品項目に対する複数種類の操作によって、前記検品箇所の検品結果を入力する入力手段と、前記検品結果を前記検品情報管理装置に送信する第１の通信手段と、を備え、前記検品情報管理装置は、前記検品結果を前記検品支援装置から受信する第２の通信手段と、前記検品結果を記憶する記憶手段と、を備えることを特徴とする。
【００１６】
また、請求項６に記載の発明は、前記入力手段は、タッチセンサであり、前記検品項目に対する複数種類のタッチ操作によって、前記検品箇所の検品結果を入力することを特徴とする請求項５に記載の検品支援システムである。
【００１７】
また、請求項７に記載の発明は、前記検品支援装置は、前記検品対象に付された識別情報を読み取る読取手段と、前記識別情報に応じて、前記検品項目を変更する変更手段と、をさらに備えることを特徴とする請求項６に記載の検品支援システムである。
【００１８】
また、請求項８に記載の発明は、前記検品支援装置は、検品作業者より当該検品作業者の登録情報の入力を受け付ける受付手段をさらに備え、前記変更手段は、前記登録情報に応じて、前記検品項目を変更することを特徴とする請求項７に記載の検品支援システムである。
【００１９】
また、請求項９に記載の発明は、前記検品支援装置は、前記識別情報及び前記登録情報のいずれか一方又は両方を前記検品情報管理装置に送信し、前記検品情報管理装置は、前記識別情報及び前記登録情報のいずれか一方又は両方に応じて、前記検品項目を決定する決定手段をさらに備え、決定した前記検品項目を前記検品支援装置に送信することを特徴とする請求項８に記載の検品支援システムである。
【００２０】
また、請求項１０に記載の発明は、前記記憶部は、前記検品対象の製造履歴をさらに記憶し、前記決定手段は、記憶された前記検品結果及び前記製造履歴のいずれか一方又は両方に応じて、複数の検品箇所を検品する場合における検品項目の操作順序を決定し、前記検品情報管理装置は、決定した前記操作順序を前記検品支援装置に送信することを特徴とする請求項９に記載の検品支援システムである。
【００２１】
また、請求項１１に記載の発明は、前記検品支援装置は、内部電源によって動作し、前記第１の通信手段及び前記第２の通信手段は、無線通信を行うことを特徴とする請求項１０に記載の検品支援システムである。
【００２２】
また、請求項１２に記載の発明は、コンピュータを、検品対象を連続撮影する撮影手段、前記検品対象の検品箇所に追従するように検品項目を前記検品対象に重ねて連続表示する表示手段、前記検品項目に対する複数種類の操作によって、前記検品箇所の検品結果を入力する入力手段、として機能させることを特徴とするプログラムである。
【発明の効果】
【００２３】
請求項１、５及び１２に記載の発明によれば、検品対象の検品箇所と検品項目の対応が把握され、検品結果の誤入力を抑制する検品支援装置、検品支援システム及びプログラムが得られる。
【００２４】
請求項２及び６に記載の発明によれば、直感的な操作で検品作業が行われる。
【００２５】
請求項３及び７に記載の発明によれば、検品対象に応じた検品項目の表示が行われる。
【００２６】
請求項４及び８に記載の発明によれば、検品作業者に応じた検品項目の表示が行われる。
【００２７】
請求項９に記載の発明によれば、検品項目の決定が集中管理される。
【００２８】
請求項１０に記載の発明によれば、検品効率が向上する。
【００２９】
請求項１１に記載の発明によれば、検品作業者が検品支援装置を持ち運び、検品対象に接近することで検品が行われる。
【図面の簡単な説明】
【００３０】
【図１】検品支援システムを示すブロック図である。
【図２】検品支援装置で検品対象を撮影する様子を示す図である。
【図３】検品対象に検品項目を重ねて表示する例を示す図である。
【図４】検品情報管理装置の記憶部の内容を示す図である。
【図５】検品項目記憶部の内容を示す図である。
【図６】検品対象に検品項目を重ねて表示する例を示す図である。
【図７】検品対象に検品項目を重ねて表示する例を示す図である。
【図８】検品支援装置と検品情報管理装置の検品処理を示すフローチャートである。
【発明を実施するための形態】
【００３１】
以下、本発明の実施の形態について、図面を参照しながら説明する。
【００３２】
図１は、本発明の実施の形態に係る検品支援システム１の構成例を示す図である。検品支援システム１は、検品情報管理装置２と検品支援装置３を含む。
【００３３】
ここで、検品情報管理装置２は、表示部２１、記憶部２２、制御部２３、入力部２４、及び通信部２５を含んで構成されている。さらに、制御部２３は、決定部２３１を含んでいる。なお、表示部２１、記憶部２２、制御部２３、入力部２４は一体となってコンピュータとして機能する。
【００３４】
また、検品支援装置３は、通信部３１、記憶部３２、制御部３３、タッチパネル部３４、撮影部３５、及び表示部３６を含んで構成されている。なお、記憶部３２、制御部３３、タッチパネル部３４、表示部３６は一体となってコンピュータとして機能する。本実施の形態において、検品支援装置３はいわゆるダブレットPCであり、内部電源で動作するものとする。
【００３５】
通信部３１は、例えば無線LANの送受信機であり、通信部２５と無線により通信する。通信部３１は、有線LAN接続機器であってもよい。本実施の形態では、検品支援装置の携帯性に鑑みて、通信部３１は無線通信を行うものであるとする。
【００３６】
記憶部３２は、例えばRAM（Random Access Memory）やROM（Read Only Memory）を含んで構成されている。記憶部３２は制御部３３が実行するプログラムを格納するとともに、制御部３３のワークメモリとしても機能する。なお、記憶部３２に格納される制御部３３が実行するプログラムは、電気通信回線を介して提供されるものであってもよいし、半導体記憶素子等のコンピュータで読み取り可能な情報記憶媒体に格納されて提供されるものであってもよい。
【００３７】
制御部３３は、例えばCPU（Central Processing Unit）を含んでおり、記憶部３２に格納されているプログラムを実行することにより、検品支援装置３の全体を制御する。例えば、制御部３３は、撮影した検品対象に検品項目を重ねて連続表示する場合等に表示部３６の制御を行う。
【００３８】
撮影部３４は、例えばCMOSイメージセンサ等の固体映像素子であり、検出した光情報を電気信号として制御部３３に提供する。本実施の形態では、検品対象を連続撮影するために、毎秒数十回程度の撮影が可能であるものが望まれる。
【００３９】
タッチパネル部３５は、例えば液晶表示装置等の表示部と、指先等で触れられた位置情報を検出するタッチパッド部が一体となったものである。検品支援装置２を使用する検品作業者は、タッチパッド部を透過して視認される表示部に表示されたアイコン等を指先や専用のペンで間接的に触れることにより、タップ操作やドラッグ操作を行う。ここで、「タップ操作」とは、指先等でアイコン等を軽く触れる動作を指す。また、「ドラッグ操作」とは、指先等で触れたアイコン等を触れたまま引き動かす動作を指す。
【００４０】
なお、本実施の形態では検品作業者が検品支援装置３を直感的に操作するためタッチパネル部３５を採用するが、液晶表示装置等の表示部とキーボードやマウス等の入力部を採用することとしてもよい。
【００４１】
検品情報管理装置２の記憶部２２、制御部２３、通信部２５のそれぞれは、検品支援装置３の記憶部３２、制御部３３、通信部３１のそれぞれと同様のものであるとする。また、表示部２１、入力部２４は、それぞれ液晶表示装置等、キーボードやマウス等とする。
【００４２】
図２は、本実施の形態において、検品支援装置３の撮影部３４によって検品対象４を撮影し、タッチパネル部３５に表示する様子を示す図である。ここで、撮影部３４は、タッチパネル部３５の設けられている面と対向する面に設けられているものとする。
【００４３】
検品対象４は、３枚の印刷物からなる。１枚目の検品対象４１には、「甲」という人物名が印字されている。２枚目の検品対象４２や３枚目の検品対象４３にも同様に文字や画像が印刷されているものとする。
【００４４】
検品支援装置３のタッチパネル部３５の表示において、１枚目の検品対象４１上の「甲」の文字を囲む枠線と、それに追従する吹き出しが重ねて表示されていることが確認できる。ここで、検品作業者が検品支援装置３を持ち運んで様々な方向、距離から検品対象４を連続撮影した場合、当該枠線は「甲」の文字を囲み続けるように角度や大きさが逐次変更され、当該枠線に追従する吹き出しの角度や大きさも逐次変更されることになる。
【００４５】
このように、現実環境をコンピュータによって拡張して知覚させる技術を「拡張現実」もしくは「AR（Augmented Reality）」と呼ぶ。検品支援装置３は、AR技術を用いて検品作業者の知覚を拡張し、検品作業を支援する装置である。
【００４６】
図３（ａ）は、検品支援装置３のタッチパネル部３５に表示される映像の例を示す図である。１枚目の検品対象４１には、検品内容の識別情報４１１及び検品範囲の識別情報４１２が予め印刷されており、AR技術によって、検品箇所を示す印字枠４１３及び検品内容を説明する検品項目４１４が表示される。
【００４７】
ここで、検品内容の識別情報４１１は、検品対象毎にどのような内容を検品すべきかを示す情報である。本実施の形態では、検品内容の識別情報４１１は２次元コードであり、当該２次元コードには、検品情報管理装置２の記憶部２２に記憶されている検品項目に関する情報を指定する情報が格納されているものとする。検品情報管理装置２の記憶部２２に記憶されている情報については、後述する。また、本実施の形態では、当該２次元コードは検品対象の寸法情報や重要度等の情報を指定する情報を含むものとする。
【００４８】
検品範囲の識別情報４１２は、いわゆるトンボであり、１枚目の検品対象４１の上下左右が判別できるように丸印が付加されたものとなっている。本実施の形態では、検品範囲の識別情報４１２を予め検品対象に印刷することとしたが、検品支援装置３は検品対象の端部を検出することとしてもよい。
【００４９】
検品支援装置３は、検品範囲の識別情報４１２を検出し、検品内容の識別情報４１１に含められた検品対象の寸法情報に基づいて、検品対象をどのような距離、角度から撮影しているのか算出する。
【００５０】
そのようにして算出された結果に基づいて、検品支援装置３は、印字枠４１３及び検品項目４１４の表示倍率や表示位置、表示角度を算出し、あたかも１枚目の検品対象４１上に印字枠４１３及び検品項目４１４が印刷されているかのように重ねて表示する。
【００５１】
このような表示処理は逐次行われる。検品作業者が検品支援装置３を動かし、撮影距離や方向が変えられれば、検品箇所を示す印字枠４１３は撮影距離や方向の変化に伴い滑らかに変形、拡縮され、検品項目４１４は検品箇所に追従するように同様に変形、拡縮される。
【００５２】
印字枠４１３は、検品箇所である「甲」の文字を囲んで表示されている。また、検品項目４１４の吹き出しの中には「枠内に印字されているか？」という検品内容を説明する文が表示されている。
【００５３】
本実施の形態では、検品項目４１４を確認した検品作業者は、問題が無ければ検品項目４１４の吹き出しをタップ操作し、問題があればドラッグ操作することとする。どちらの操作が行われたかという情報は、検品結果として検品支援装置３の記憶部３２に記憶され、操作された検品項目４１４及び印字枠４１３は消去される。そして、全ての検品項目について操作が行われた後、記憶部３２に記憶された検品結果は、検品情報管理装置２に送信される。
【００５４】
図３（ａ）の例の場合、「甲」の文字は印字枠４１３の内側に印刷されているため、検品作業者は検品項目４１４をタップ操作すればよい。仮に、印字枠４１３を越えて文字が印刷されていた場合、ドラッグ操作すればよいことになる。
【００５５】
検品の合否以外の情報を記録したい場合、例えばドラッグ操作のドラッグ方向の違いによって複数の検品結果を入力できることとしてもよい。その場合、例えば検品項目４１４に説明された内容には問題ないが、異なる問題があることを示すこととしてよい。図３（ａ）の例で言えば、印字枠４１３に文字が収まっているのだが、誤字がある場合などである。
【００５６】
図３（ｂ）は、変形例を示す図である。図３（ａ）の場合、検品の合否をタップ操作とドラッグ操作で表すこととしたが、図３（ｂ）の場合、２種類の検品項目確認ボタン４１５及び４１６が表示されている。検品作業者は、検品項目４１４を確認し、問題が無ければ「OK」の検品項目確認ボタン４１５をタップ操作し、問題があれば「NG」の検品項目確認ボタン４１６をタップ操作する。
【００５７】
また、検品の合否以外の情報を記録したい場合は、複数の検品項目確認ボタンを設けることとしてよい。
【００５８】
図４は、検品情報管理装置２の記憶部２２の内容を示す図である。記憶部２２は、検品結果記憶部２２１、識別情報記憶部２２２、登録情報記憶部２２３、検品項目記憶部２２４、製造履歴記憶部２２５を含む。
【００５９】
検品結果記憶部２２１は、検品支援装置３より送信された検品結果を記憶する。前述のように、検品の合否以外の情報を記録する場合、それらの情報をも記憶することとしてよい。
【００６０】
識別情報記憶部２２２は、検品対象に付された識別情報の示す情報を記憶する。図３（ａ）の例の場合、検品支援装置３が検品内容の識別情報４１１を撮影し、２次元コードに符号化された情報を読み取り、検品情報管理装置２に送信する。当該情報を受信した検品情報管理装置２は、識別情報記憶部２２２を検索して、検品内容の識別情報４１１が示す具体的な情報である寸法情報や重要度等の情報を特定し、検品支援装置３に返信する。
【００６１】
登録情報記憶部２２３は、検品作業者の登録情報を記憶する。本実施の形態では、検品作業者は、検品支援装置３を用いて検品作業を行う際、作業に先立って自己の登録情報を入力し、検品支援システムにログインするものとする。検品支援装置３に入力された登録情報は検品情報管理装置２に送信され、登録情報記憶部２２３に記憶された情報に基づいて認証が行われるものとする。
【００６２】
検品項目記憶部２２４は、検品の説明内容や検品の単位、検品項目の表示位置情報等を記憶する。記憶される情報の例を、図５に示す。
【００６３】
図５には、３種類の検品項目の例が挙げられている。１つ目は、図３（ａ）及び（ｂ）において示したものであり、「枠内に印字されているか？」という検品項目である。この検品の単位はページ毎であり、位置情報として印字枠の四隅の座標値が格納されている。当該座標値は、検品範囲の識別情報を基準値として表されるものである。
【００６４】
２つ目の検品項目として「傷・汚れがないか？」という項目がある。検品の単位はページ毎であり、特定の箇所の傷・汚れの有無を確認するのではなく、検品対象全体に傷・汚れがないか確認する項目であるため、位置情報は「全体」となっている。このように検品箇所が検品対象全体の場合、AR技術によって表示される検品項目の表示位置は任意としてよい。また、検品対象の上に検品項目を重ねて表示すると隠される部分が生じてしまうため、検品項目を透過処理して表示することとしてもよい。
【００６５】
３つ目の検品項目は、「１０枚あるか？」である。この場合、検品の単位はジョブ毎となっている。すなわち、印刷物の束毎に１０枚あるか検品する作業を意味する。検品箇所が限定されるものではないから、位置情報は「全体」となっている。例えば、図２の検品対象４の場合、３枚が１セットとなっているから、このことを確認する検品項目を表示することとしてもよい。
【００６６】
図４に戻り、製造履歴記憶部２２５は、検品対象がどういった製造装置によって製造されたかという履歴を記憶するものである。例えば、検品対象を印刷した印刷機を特定する情報であってもよいし、検品対象の作成を担当した人物や部署等を特定する情報であってもよい。
【００６７】
図６（ａ）及び（ｂ）は、識別情報記憶部２２２や登録情報記憶部２２３に記憶された情報に基づき、検品項目を変更する例を示す図である。前述のように、検品支援装置３は、検品作業に先立ち検品作業者の登録情報を受け付け、検品対象５に付された識別情報を読み取る。当該登録情報及び識別情報は、検品情報管理装置２に送信され、検品情報管理装置２は、識別情報記憶部２２２や登録情報記憶部２２３に記憶された情報に基づき、どのような検品項目を表示するか決定部２３１によって決定する。
【００６８】
図６（ａ）は、例えば、検品作業者が熟練者である場合の表示態様を示し、図６（ｂ）は検品作業者が初心者である場合の表示態様を示す図である。熟練者の場合、検品項目５１ａ及び５２ａに示される文は簡潔である。一方、初心者の場合、検品項目５１ｂに示される文は検品項目５１ａの場合より長く、より詳細な説明文が書かれている。その他に、初心者の場合には、熟練者の場合には表示されていない検品項目５３及び検品項目５４が表示されている。また、熟練者の場合と初心者の場合で表示態様が変わらない検品項目５２ａと検品項目５２ｂもある。
【００６９】
ここで、検品作業者が熟練者であるか初心者であるかは、例えば総作業時間から判定することとしてもよいし、管理者により予め定められていることとしてもよい。
【００７０】
図６（ａ）及び（ｂ）は、検品対象５に付された識別情報から読み取られる検品対象の重要度の差を反映した表示態様の変化の例でもある。より厳重な検品を受けるべき検品対象には高い重要度が割り当てられ、図６（ｂ）のようにより詳細で多様な検品項目が表示され、低い重要度が割り当てられた検品対象の場合、図６（ａ）のように簡潔な検品項目が表示されることとなる。
【００７１】
図７（ａ）及び（ｂ）は、検品結果記憶部２２１や製造履歴記憶部２２５に記憶された情報に基づき、検品項目の操作順序を変更する例を示す図である。この場合、検品支援装置３より検品対象６の識別情報を受信した検品情報管理装置２は、同種類の検品対象についての検品結果を検品結果記憶部２２１より取得し、検品項目毎の問題発生率等を算出する。また、検品対象６の製造履歴を製造履歴記憶部２２５より取得し、検品対象６を製造した装置の歩留り率等を算出する。
【００７２】
検品情報管理装置２の決定部２３１は、算出した検品項目毎の問題発生率や装置の歩留り率等に基づき、問題が発生している割合が高い検品項目ほど先に操作するように操作順序を決定する。その結果、図７（ａ）では検品項目６１ａが最初に操作すべき検品項目となり、検品項目６２ａは２番目に操作すべき検品項目となっている。図７（ｂ）の検品項目６１ｂ及び検品項目６２ｂでは、操作順序が逆になっている。
【００７３】
このように、過去に問題が発生している検品項目を先に確認させることで、その検品対象についてそれまでに行った検品作業が無駄になる確率を低減させ、検品効率を向上させることができる。
【００７４】
図７（ａ）の場合、検品項目６１ａが示す検品箇所の方が検品項目６２ａの示す検品箇所よりも問題が発生しやすいと判定されており、図７（ｂ）の場合は逆の判定がされている。このような操作順序の決定は、検品項目毎の問題発生率や検品対象を製造した装置の歩留り率等を総合して行われることとしてよい。
【００７５】
図８は、検品支援装置３と検品情報管理装置２で行われる検品処理を示すフローチャートである。
【００７６】
はじめに、検品支援装置３は、検品作業者の登録情報を取得する（Ｓ１）。検品支援装置３は、ログイン画面等を表示して検品作業者の登録情報の入力を受け付けることとしてもよい。
【００７７】
その後、検品作業者が検品支援装置３の撮影部３４で検品対象を連続撮影することで、検品対象が動画として表示される（Ｓ２）。
【００７８】
次に、検品支援装置３は、撮影された検品対象に付された識別情報を読み取る（Ｓ３）。識別情報は、検品内容を示すものや検品範囲を示すもの等、複数種類あってもよい。
【００７９】
その後、検品支援装置３は、受け付けた登録情報と読み取った識別情報を検品情報管理装置２に送信する（Ｓ４）。
【００８０】
登録情報と識別情報を受信した検品情報管理装置２は、記憶部２２を検索し、検品作業者に関する情報や検品対象に関する情報、検品項目に関する情報を取得する（Ｓ５）。
【００８１】
それらの記憶部２２から取得された情報に基づいて、検品情報管理装置２の決定部２３１は、どのような検品項目を表示するか決定し、決定した内容を検品支援装置３に送信する（Ｓ６）。
【００８２】
検品項目の内容を受信した検品支援装置３は、検品項目を検品対象に重ねて表示する際の表示倍率、表示位置、表示角度等を算出する（Ｓ７）。
【００８３】
算出された検品項目の表示倍率等に基づき、検品支援装置３は、タッチパネル部３５に検品項目を拡張現実として表示する（Ｓ８）。
【００８４】
検品支援装置３は、検品作業者による検品項目のタッチ操作を受け付ける（Ｓ９）。タッチ操作によって検品の合否や問題が記録される。
【００８５】
検品支援装置３は、検品作業者によってタッチ操作された検品項目を消去し（Ｓ１０）、未操作の検品項目が無くなるまで処理を繰り返す（Ｓ１１）。
【００８６】
未操作の検品項目が無くなると、検品支援装置３は検品結果を検品情報管理装置２へ送信する（Ｓ１２）。なお、検品支援装置３は検品項目がタッチ操作されて、その検品項目に関する検品結果が確定するたびに検品情報管理装置２へ検品結果を送信することとしてもよい。
【００８７】
最後に、検品結果を受信した検品情報管理装置２は、検品結果を記憶部２２の検品結果記憶部２２１に記憶する（Ｓ１３）。
【００８８】
以上により、本実施の形態における検品処理が行われる。
【００８９】
なお、本発明の実施の形態は以上のものに限られない。例えば、検品支援装置３としてヘッドマウントディスプレイを表示部として有するウェアラブルコンピュータを採用し、拡張現実として表示部に表示された検品項目を、指先で間接的にタッチ操作するか、視線検出により操作することとしてもよい。
【符号の説明】
【００９０】
１  検品支援システム、２  検品情報管理装置、３  検品支援装置、４  検品対象、５  検品対象、６  検品対象、２１  表示部、２２  記憶部、２３  制御部、２４  入力部、  ２５  通信部、３１  通信部、３２  記憶部、３３  制御部、３４  撮影部、３５  タッチパネル部、４１  検品対象（１枚目）、４２  検品対象（２枚目）、４３  検品対象（３枚目）、５１ａ  検品項目、５１ｂ  検品項目、５２ａ  検品項目、５２ｂ  検品項目、５３  検品項目、５４  検品項目、６１ａ  検品項目、６１ｂ  検品項目、６２ａ  検品項目、６２ｂ  検品項目、２２１  検品結果記憶部、２２２  識別情報記憶部、２２３  登録情報記憶部、２２４  検品項目記憶部、２２５  製造履歴記憶部、４１１  検品内容の識別情報、４１２  検品範囲の識別情報、４１３  印字枠、４１４  検品項目、４１５  検品項目確認ボタン、４１６  検品項目確認ボタン。
【図１】
2015090514.tif 000003
【図２】
2015090514.tif 000004
【図３】
2015090514.tif 000005
【図４】
2015090514.tif 000006
【図５】
2015090514.tif 000007
【図６】
2015090514.tif 000008
【図７】
2015090514.tif 000009
【図８】
2015090514.tif 000010